(57)【要約】      （修正有）【課題】片面ダンボールの折曲げの困難性を除去し、段繰りの列に交差する方向に対して任意方向に折り曲げ或いは折り込むことを可能とすると共にその折り曲げや折り込みをより容易に行える片面ダンボールの加工紙を提供する。【解決手段】ライナ紙１と段繰りを有する段繰り紙２とを接着部材で貼着した片面ダンボールの加工紙であり、段繰り紙２の並列成形されている多数列の段２０の突出部分に押し込み部３を構成し、該押し込み部が少なくとも多数列の内の一の列とそれぞれ隣り合う他の列の段２０の突出部分の位置がずれて押し込み部３を構成するものであり、多数列の段２０のそれぞれ隣り合う列の段２０の突出部分の押し込み部３を一列状の押し込み部に形成せずに、一の段とそれに隣り合う段２０の押し込み部３がずれて形成されている片面ダンボールの加工紙からなる。【選択図】図３
0003188379.tif 000002
【実用新案登録請求の範囲】
【請求項１】
ライナ紙１と段繰りを有する段繰り紙２とを接着部材で貼着した片面ダンボールの加工紙であって、該段繰り紙の並列成形されている多数列の段２０の突出部分に押し込み部３を構成すると共に、該押し込み部３が少なくとも多数列の内の一の列とそれぞれ相隣り合う他の列の段の突出部分の押し込み部がずれて形成するものであり、多数列の段のそれぞれ相隣り合う列の段の突出部分の押し込み部を一列状の押し込み部に形成せずに、一の段とそれに相隣り合う段の押し込み部がずれて形成されていることを特徴とする片面ダンボールの加工紙。
【請求項２】
段繰り紙の段の突出部に構成した押し込み部同士の間隔が多数列並列に形成されている段繰り紙の多数列の段同士の間隔と同程度の間隔を有することを特徴とする請求項１記載の片面ダンボールの加工紙。
【請求項３】
段繰り紙の段の突出部に構成した押し込み部同士の間隔が多数列並列に形成されている段繰り紙の多数列の段同士の間隔よりもせまい間隔で押し込み部を構成するものであることを特徴とする請求項１記載の片面ダンボールの加工紙。
【請求項４】
段繰り紙の段の突出部に構成した押し込み部同士の間隔が多数列並列に形成されている段繰り紙の多数列の段同士の間隔よりも広い間隔で押し込み部を構成するものであることを特徴とする請求項１記載の片面ダンボールの加工紙。
【請求項５】
段繰り紙の段の突出部に構成した押し込み部同士の間隔が一定であることを特徴とする請求項１記載の片面ダンボールの加工紙。
【請求項６】
段繰り紙の段の突出部に構成した押し込み部同士の間隔が一定でなく、異なる間隔を有する押し込み部を含むことを特徴とする請求項１記載の片面ダンボールの加工紙。
【考案の詳細な説明】
【技術分野】
【０００１】
本考案は、片面ダンボールの加工紙に関する。
【背景技術】
【０００２】
従来より、片面ダンボールの製造に関してはライナ紙と段繰りされる波状の段繰り紙とを接着部材で貼着して製造し、この様な片面ダンボール紙は多用されているものである。
例えばその製造装置としては特開平５−２４１３７号（特許文献１）に示す製造装置や特開平６−２９７６１４号（特許文献２）に示す製造装置が存在し、更に容器に成形する方法として特表平１０−５０２５８５号（特許文献３）が存在する。
【０００３】
又、食品収納用パッケージに用いるように形成した実用新案登録第２５９６０２５号（特許文献４）も存在する。
更には片面ダンボールシートを素材として製造する容器及びその製造方法である特開２００６−１１７２７６号（特許文献５）も存在する。
【０００４】
これらは、各々片面ダンボールを製造し、この片面ダンボールシートを用いて具体的容器に形成するための各種先行技術である。
これは特にその段繰り部の空気層によるクッション性や断熱性に着目して多様に用いられているものである。
【０００５】
この場合、段繰り部分における並列して形成される段の部分は、一定の規格に従って製造されるものであり、ＪＩＳ規格によれば段の数等によって区別されていると共に、一定の基準に沿って製造されているものである。
従って、この様に一定の規格に基づいて製造されるものである。
【０００６】
これらのように片面ダンボールが製造されるが、この製造されたダンボールは特許文献３乃至５に示す通り容器として成形されるものも多数存在する。
この容器の製造に際して、片面ダンボールシートを用いることから、該ダンボールの段繰りが一定方向にそろって段形状を構成するものとなり、該段繰りの波状の段に対向する方向に対しては極めて曲がりにくい性質を有するものであり、該方向に折り曲げ又は折り込むことはできないものである。
【０００７】
反面段繰りの波状の段に平行方向に折り曲げ又は折り込むことは抵抗なく行なえるものとなる。
従って、該段の部分に交差する方向に折り曲げるには、該段状部分を削除するか押しつぶして段形状をなくすことが必要となる。
【０００８】
係るために、特許文献３においては型押しダイによってプレスして屈曲部分を押しつぶして成形するものであり、強力なプレス成形によって該容器を製造することが必要であった。
この他特許文献４又は５に示すように、折り曲げが必要な部分を切断又は罫線を入れることが必要であった。
【０００９】
したがって、容器の成形時において明確な角部を有する容器の成形においては、その部分を切断又は段部分の切断或いは押し潰しなどによって線状に折り曲げ部を確保することが必要であり、容器製造時にそれぞれに適合する機器が必要となるものであった。
【００１０】
これらに対して、段繰り部分の突出部分の段繰りの列に対して垂直方向に直線状に押し込み部分を設けて、段繰りの段の突出している部分を押し潰すことによりその部分で屈曲を行えるように構成した片面ダンボールの加工紙に関する先行例も存在する。
【００１１】
即ち多数列の段繰りの段部分をこの段繰りの形成方向に対して垂直方向に一列に押し潰す構成を有する先行例が存在する。
例えば本考案の考案者の提唱する特開２００８-２６０２１１号（特許文献６）や特開２００９−７０２２号（特許文献７）が存在する。
【００１２】
或いは特開昭５２-１５０１９３号（特許文献８）や登録実用新案３０５６８３９号（特許文献９）が存在する。
これらはその押し潰し列を多数列有しており、その列に沿った折り曲げを可能とするものである。
【００１３】
従って片面ダンボールの、直線的にその折曲げの困難性を除去した片面ダンボールの加工紙が提供されているものである。
【特許文献１】特開平５−２４１３７号
【特許文献２】特開平６−２９７６１４号
【特許文献３】特表平１０−５０２５８５号
【特許文献４】実用新案登録第２５９６０２５号
【特許文献５】特開２００６−１１７２７６号
【特許文献６】特開２００８-２６０２１１号
【特許文献７】特開２００９−７０２２号
【特許文献８】特開昭５２-１５０１９３号
【特許文献９】登録実用新案３０５６８３９号
【考案の開示】
【考案が解決しようとする課題】
【００１４】
以上の様に、片面ダンボールは各種製造され、かつその段繰り部の空気層によるクッション性や断熱性に着目して多方面で多様に用いられているものである。
前記したように段繰り部分に直線的な列状の押し込み部を形成することによりその列に沿った折り曲げが行えるものであり、その折り曲げにより立体的な容器や折り込んで用いる包装等に用いることができるものとなる。
【００１５】
特にこの任意の列状の押し込み部分に沿って折り曲げを行い各種の形状にして用いることができるものである。
しかし、そもそもこの列状部分に押し込み部を形成するものであり、列状の押し込み部の列に沿った折り曲げ等を前提として形成することから、この列に沿わない他の部分や他の方向に対して折り込みを行おうとすると、どうしても折り曲げができず、或いは希望しない位置即ち最も近傍の押し込み列に沿った折り込みとなってしまうこととなる。
【００１６】
従って、従来の列状の押し込み部の形成による段繰り紙の構造では、希望する任意の形状の折り込みが行えず、どうしても近傍の押し込み部の列に沿った希望しない方向に対しての折り込みしかできないものとなってしまうという大きな欠点を有する。
【００１７】
このような欠点即ちこの様な片面ダンボールのその折曲げの困難性を除去し、任意位置や任意方向に対してでも折り曲げや折り込み或いは丸め込み等をより容易に行える何らかの片面ダンボールの提供が望まれるものである。
【課題を解決するための手段】
【００１８】
係るため本考案に係る請求項１記載の考案は、ライナ紙と段繰りを有する段繰り紙とを接着部材で貼着した片面ダンボールの加工紙であって、該段繰り紙の並列成形されている多数列の段の突出部分に押し込み部を構成すると共に、該押し込み部が少なくとも多数列の内の一の列とそれぞれ相隣り合う他の列の段の突出部分に形成する押し込み部の位置がずれて構成するものであり、多数列の段のそれぞれ隣り合う列の段の突出部分の押し込み部を一列状の押し込み部に形成せずに、一の段とそれに隣り合う段の押し込み部がずれて形成されている片面ダンボールの加工紙である。
【００１９】
又、請求項２に係る考案は段繰り紙の段の突出部に構成した押し込み部同士の間隔が多数列並列に形成されている段繰り紙の多数列の段同士の間隔と同程度の間隔を有する片面ダンボールの加工紙であり、係る考案であってもよい。
或いは請求項３に係る考案のように、段繰り紙の段の突出部に構成した押し込み部同士の間隔が多数列並列に形成されている段繰り紙の多数列の段同士の間隔よりもせまい間隔で押し込み部を構成する片面ダンボールの加工紙を用いてもよい。
【００２０】
又、請求項４に係る考案のように段繰り紙の段の突出部に構成した押し込み部同士の間隔が多数列並列に形成されている段繰り紙の多数列の段同士の間隔よりも広い間隔で押し込み部を構成する片面ダンボールの加工紙を用いてもよい。
【００２１】
更に、請求項５に係る考案のように段繰り紙の段の突出部に構成した押し込み部同士の間隔が一定である片面ダンボールの加工紙でもよく、或いは請求項６に係る考案のように段繰り紙の段の突出部に構成した押し込み部同士の間隔が一定でなく、異なる間隔を有する押し込み部を含む片面ダンボールを用いた加工紙を用いてもよい。
【考案の効果】
【００２２】
以上のように構成したことからまず請求項１に係る考案によって、段繰りを有するダンボール紙の利点を有した上で、任意形状に折り曲げ或いは折り込むことができ、片面ダンボールの加工紙を種々の場所や用途に用いることが可能となる。  
特に押し込み部が段繰りの列状の段に対して交差方向に対して一列の列状に形成した押し込み部となっているのではなく、この押し込み部が連続する段において一例にきれいに並んで構成しておらずにずれて構成されていることから、その列状に構成した場合における該列部分でのみ折り曲げ又は折り込むものとならない。
【００２３】
しかし多数個所に押し込み部を形成していることから、任意の場所であって少なくとも段繰りの段の部分の押し込み部を有する複数の位置で任意に折り曲げることができるものとなる。
従って、任意位置にずれて多数個所に設けた押し込み部により、最も折れ曲げたい任意位置での段繰りの段に交差する方向に対しての折り込み等ができるものとなる。
【００２４】
更に例えば筒状等に湾曲状態に折り曲げる場合においても、多数個所での折り込みができることから、より滑らかな弧状の折り曲げを可能とするものである。
従って折り込みの位置だけでなく斜め方向に任意方向での折り込みをも可能とするものであり、折り込みや折り曲げを任意に形成できるものとなる。
【００２５】
次に請求項２に係る考案によって段繰りの列の間隔と同程度の間隔をもって該段繰りの段の突出部分に押し込み部を形成できるものとなり、少なくとも、段繰りの列方向における折り込みと同程度以上の短い間隔で折り込みを可能とするものとなる。
又この段繰りの段の列方向の他、これに段繰りの段の列に直行する方向に限らず、任意の傾斜方向への折り曲げや折り込みを可能とするばかりでなく、曲線状や任意の角度をもって屈曲した方向等に折り曲げることや折り込みことを可能とするものである。
【００２６】
次に請求項３に係る考案によって、より短い間隔で押し込み部同士を連設できるものとなり、より任意の個所での折り込みや折り曲げを可能とするものであり、より所望の位置で折り曲げや折り込みを可能とする。
【００２７】
又請求項４に係る考案によって、少なくとも段繰りの段の列間における間隔による折り曲げや折り込み程度の間隔での段繰りの段の列に対して直行方向或いは任意の傾斜方向へ折り曲げや折り込み等を可能とするものとなる。
【００２８】
更には、請求項５に係る考案によって、この押し込み部の間隔を一定間隔で形成しても或いは請求項６に係る考案のように一定間隔でない間隔をもって押し込み部を形成するものであってもよい。
これらにより、より応用範囲の広い各形状に適合する片面ダンボールを各方面で活用できる加工紙を提供できるものとなると共に折り込みや折り曲げをより容易に行える押し込み部を有する片面ダンボールの加工紙の提供を行えるものである。
【考案を実施するための最良の形態】
【００２９】
図1は、本考案にかかる基本的な片面ダンボールの加工紙の一例を示す図である。
本図に示す通り、ライナ紙１と段繰りされる波状の段２０を有する段繰り紙２とを接着部材で貼着した片面ダンボールよりなるものであるが、更に該段繰り紙２の並列成形されている段２０に押し込み部３を有する。
【００３０】
該押し込み部３は、多数並列して形成される段２０部分の突出部分に押し込み部３を有しているものである。
この押し込み部３は、段２０の弧状の凸状部分に凹み３０を有する様に形成されたものであり、段部分を全てつぶしてしまうものであるものの他、凹みを有するものであってもよい。
例えば突出した段２０部分の高さをなくす程度つぶすものの他、その突出高の３分の１乃至３分の２程度の凹み３０を有するものであってもよい。
【００３１】
この様に構成することによって、段繰り２の段２０部分の折り曲げ強度の腰をなくし、該位置での片面ダンボールを折り込み又は折り曲げしやすくするものであり、細かい折り込みや折り曲げを可能とするばかりでなく、多数列並列状に段を形成している片面ダンボールに対して該段２０の列方向以外の方向である段２０の列に対して交差する方向に対して折り込み又は折り曲げしやすくするものである。
【００３２】
特に段繰り紙２の段２０の列に平行方向に折り曲げることは、段２０の突出部分ではなくライナ紙との接着部分である平面状の部分を折り曲げることとなり簡単にできると共に段の突出部分に沿って平面状となっている部分であることから極めて折り曲げ易いものとなる。
従って段繰り紙においてはこの部分での折り込み等は容易に行えるものである。
【００３３】
しかし、この段２０の突出部分に交差する方向に対して折り曲げることは、この突出部分が存在し、この部分が折り曲げや折り込みに対して抵抗する強度を有し、シートの変形を防止するものとなって、極めて折り曲げしにくいものとなる。  
従ってこの突出部分をつぶすことにより、この段２０の突出形状からなる腰をなくすことができることとなり、この潰した部分で段２０の突出部分に交差した方向への折り曲げを可能とするものである。
【００３４】
又本図に示すように該押し込み部３が段２０の多数列の内の一の列とそれぞれ相隣り合う段の他の列の突出部分に形成した押し込み部３がずれて構成されているものであることから、該押し込み部３に関係した任意方向への折り込みや折り曲げを可能とするものである。
更に、例えば任意方向に対して曲線状の折り込みを形成することも可能である。
【００３５】
特にこの突出部分をつぶした押し込み部分３を有することによりこれに相隣り合う段２０の突出部分が存在しても、該押し込み部３を足掛かりとしてその隣部分の折り込みを可能とすることとなる。
【００３６】
本図においての押し込み部分は一定の規則性をもって押し込み部３を形成しているものであるが、この例に限定されるものではなく、少なくともライナ紙１と段繰りの段を有する段繰り紙２とを接着部材で貼着した片面ダンボールからなる加工紙であり、該段繰り紙２の並列成形されている多数列の段２０の突出部分に押し込み部３を構成すると共に、該押し込み部３が少なくとも段２０の多数列の内の一の列とそれぞれ相隣り合う他の列の段２０の突出部分に設けた押し込み部３の位置がずれてそれぞれの押し込み部３を構成するものであればよいものである。
【００３７】
従って、特に多数列の段２０のそれぞれ相隣り合う列の段２０の突出部分の押し込み部を一列状の押し込み部３に形成せずに、一の段２０とそれにそれぞれ相隣り合う段２０の押し込み部３、即ち両側側の段２０の押し込み部３がそれぞれずれて形成され、列状に形成されていない押し込み部３を有しているものであればよい。
【００３８】
本図においては、全ての押し込み部３同士の突出部分の段２０の列間の間隔は一定である一例を示す。
この場合、押し込み部３は突出部分の段２０の頂点部２０１に凹み３０をつける程度であり、その段２０の突出部分の割合に対しては極めて些少な凹み３０を有するものであってももちろんよい。
【００３９】
これによっても、一列状に形成した段繰りの段２０の突出部分により発揮される強度が、この部分に押し込み部３を形成することにより凹凸形状となることも伴ってその強度が低くなり、段繰りの強度をなくすことができる。
【００４０】
又、この押し込み部３の幅は任意であり、段繰りの段２０の幅に一致するものであっても、或いはこれよりも細いものでも、或いは太いものであってもよい。
尚、この場合押し込み部３が段２０の頂点部２０１に対して押し込み或いは押しつぶしまたは折り曲げたものであればよく、これらは全て押し込み部３である。
【００４１】
次に、この押し込み部３の形成に関しては、一の段状に形成した押し込み部３同士の間隔は、これを一定とするものの他、その間隔が一律ではなく異なるものであってもよい。
一律でなくとも段繰りの段２０に対して押し込み部３を形成することにより、交差する方向であって任意方向への折り曲げ等を可能とするものとなる。
【００４２】
尚、本図構成はそれぞれ相隣り合う段の押し込み部３がずれていると共に、段２０の列の間隔と同間隔程度の間隔を有しており、一の突出している段２０における押し込み部３とそれに続く同じ段２０上に形成した次の押し込み部３との間隔を有しており、これを順次同間隔で構成されている一例を示す。
【００４３】
この様に構成することにより、任意方向に折り込み場合でも例えばその折り込み方向に複数の押し込み部３をその折り込み線上に有することができ、その折り込み方向の押し込み部３の存在によりその部分の段２０の強度が低くなっていることからこの任意方向への折り込みを可能とするものである。
【００４４】
図２は、片面ダンボールの段繰り紙２の並列成形されている段２０に押し込み部３を有している片面ダンボールの加工紙の他の一例を示す図である。
本図に示す通り、段２０の頂点部２０１が押し込み部３によって押し込まれており、段２０の腰をなくして折り曲げや折り込みに対する強度を低くしているものであるいるものである。
【００４５】
本図に示す押し込み部３はそれぞれ段２０においてランダムに形成するものであり、押し込み部３間の間隔は突出部分の段２０の列ごとに一定である一例を示す図である。
但し、相隣り合う段２０は、それぞれ異なる押し込み部３同士の間隔を有する一例である。
もとより押し込み部３間の間隔が一致する段２０同士が相隣り合うものであってもよいのももちろんである。
【００４６】
この様に構成することにより、同様に任意方向に折り込み場合でも、例えばその折り込み方向に複数の押し込み部３をその折り込み線上に有することができ、その折り込み方向の押し込み部３の存在によりその部分の段２０の強度が低くなっていることからこの任意方向への折り込みを可能とするものである。
【００４７】
従って、特定の方向に限定されるのではなく任意な方向への折り込みを可能とするものである。
特に折り込み方向に突出した段２０を一部に有するが、他のその線上の他の押し込み部３の存在によって、折り曲げや折り返しを可能とするものであり、あらかじめ定めた方向以外の任意方向への折り返しや折り込みを可能とするものとなる。
【００４８】
本図構成においても該押し込み部３が少なくとも多数列の内の一の列とそれぞれ相隣り合う他の列の段２０の突出部分の押し込み部３がずれて形成しており、多数列の段２０のそれぞれ相隣り合う列の段２０の突出部分の押し込み部を一列状に形成した押し込み部３として形成するものではなく、一の段とそれに相隣り合う段２０の押し込み部３がずれて形成されている一例を示している。
【００４９】
図３は、片面ダンボールの段２０部分に形成した押し込み部３の断面図の一例を示す図である。
本図に示す通り、段２０の頂点部２０１が押し込み部３によって押し込まれており、段の腰をなくしているものである。
これにより凹みを形成するものとなる。
【００５０】
図４は、押し込み部３の断面図の他の例であり、段２０の頂点部２０１が押し込み部３をもって押し込められており、この押し込み部３の押し込み頂点部３０１分がライナ紙１に接する状態の一例を示す図である。  
本図に示す場合には、この押し込み部３の押し込み頂点部３０１のライナ紙１との接触部分は接着部材で接着しているものではないが、必要に応じてこの押し込み部３の押し込み頂点部３０１がライナ紙１と接着しているものであってももちろんよい。
【００５１】
図５は、本考案にかかる片面ダンボールの加工紙の他の一例を示す図である。
本図に示す通り、ライナ紙１と段繰り紙２とからなる片面ダンボールよりなるものであるが、更に該段繰り紙２の並列成形されている段２０に押し込み部３を有する。
【００５２】
本図に示すように該押し込み部３が段２０の多数列の内の一の列とそれぞれ隣り合う段２０の他の列の突出部分における押し込み部３とが図１に示す構成とは、異なる構成にずれた一例を示す。
【００５３】
本図に示すように一の段２０の列と相隣り合う段２０の列、即ち両側に位置するそれぞれの段２０の列にそれぞれ形成されている押し込み部３は、それぞれずれて構成されているものであり、それぞれ任意位置に形成されているものであればよい。
本図に示す構成はランダムにそれぞれ押し込み部３を構成した一例を示す。
【００５４】
もとより基本的には多数列の段２０の内の一の段２０の列とそれぞれ隣り合う段２０及び反対方向に隣り合う段２０の他の列にそれぞれ形成した突出部分における押し込み部３が一列状に形成されたものではなく、これらの押し込み部３がずれていることが基本であるが、何箇所かでランダムゆえに相隣り合う段２０の列の押し込み部３が一致して列状に形成されてしまう部分もあるが、これをすべて排除するものではない。
【００５５】
従って少なくとも基本的にそれぞれ相隣り合う他の列の段２０の突出部分の位置がずれて押し込み部３を構成するものであり、多数列の段２０のそれぞれ相隣り合う列の段２０の突出部分の押し込み部３を一列状の押し込み部に形成せずに、一の段とそれに相隣り合う段の押し込み部３がずれて形成されることにより列状に形成されず一致しないものを基調とするものであればよい。
【００５６】
尚、突出部の段２０の列上に形成している押し込み部３は、該段上に間隔をあけて形成されているものであるが、この間隔は一定のものでも或いは異なる任意の間隔をあけて押し込み部３を形成するものであってもよい。
【図面の簡単な説明】
【００５７】
【図１】本考案に係る片面ダンボールの加工紙の一例を示す図
【図２】本考案に係る片面ダンボールの加工紙の他の一例を示す図
【図３】本考案に係る片面ダンボールの加工紙の押し込み部の一例を示す図
【図４】本考案に係る片面ダンボールの加工紙の押し込み部の他の一例を示す図
【図５】本考案に係る片面ダンボールの加工紙の他の一例を示す図
【符号の説明】
【００５８】
１    ライナ紙
２    段繰り紙
２０    段
２０１    頂点部
３    押し込み部
３０    凹み
３０１    押し込み頂点
【図１】
0003188379.tif 000003
【図２】
0003188379.tif 000004
【図３】
0003188379.tif 000005
【図４】
0003188379.tif 000006
【図５】
0003188379.tif 000007